(57)【要約】【課題】フルカラーが可能な有機ＥＬを用いて色の自由度を持たすことができ、かつ有機ＥＬの寿命が短いという問題を解決し得る画像形成装置を提供する。【解決手段】装置の状態を表示する表示機能を有する画像形成装置において、発光部に有機ＥＬを用い、有機ＥＬの発光輝度を変化させる発光輝度変化手段と、人体を検知する人体検知手段を設け、人体を検知したときに発光輝度を可変することを特徴とする。【選択図】　　　図１
2004114332.tif 000002
【特許請求の範囲】
【請求項１】
装置の状態を表示する表示機能を有する画像形成装置において、発光部に有機ＥＬ（Ｅｌｅｃｔｒｏ　Ｌｕｍｉｎｅｓｃｅｎｃｅ）を用い、有機ＥＬの発光輝度を変化させる発光輝度変化手段と、人体を検知する人体検知手段を設け、人体を検知したときに発光輝度を可変することを特徴とする画像形成装置。
【請求項２】
通常時は有機ＥＬは発光させずに人体検知した時のみ有機ＥＬを発光させることを特徴とする請求項１の画像形成装置。
【発明の詳細な説明】
【０００１】
【発明の属する技術分野】
本発明は、表示装置を備えた複写機、レーザビームプリンタ等の画像形成装置に関するものである。
【０００２】
【従来の技術】
従来、この種の画像形成装置においては、使用者に画像形成装置の状態及び操作状況を知らせるために操作表示機能を設けている。
【０００３】
また、それらの表示機能にはＬＥＤを用いたり、高輝度で中間階調表示を可能とする有機ＥＬを用いて行っている。
【０００４】
【発明が解決しようとする課題】
しかしながら、このようにＬＥＤを用いて表示を行った場合、発色の色が限られてしまい、自由度がない。また、色の自由度を持たせようと、中間階調表示が可能な有機ＥＬを用いて表示を行う場合、有機ＥＬは寿命が短く常時点灯させて使用するのには問題があった。
【０００５】
【課題を解決するための手段】
本発明によると、操作機能の発光部に有機ＥＬ（Ｅｌｅｃｔｒｏ　Ｌｕｍｉｎｅｓｃｅｎｃｅ）を用い、有機ＥＬの発光輝度を変化させる発光輝度変化手段と、人体を検知する人体検知手段を設け、人体を検知したときに発光輝度を可変することを特徴とする。
【０００６】
また、通常時は有機ＥＬは発光させずに人体検知した時のみに有機ＥＬを発光させる。
【０００７】
【発明の実施の形態】
以下、本発明の実施形態を具体的な実施例に基づいて説明するが、本発明はこれらの実施例に限定されるものではない。
【０００８】
【実施例】
（実施例１）
図１は電子写真プロセスを用いた画像形成装置の概略構成図であり、例えばレーザビームプリンタの場合を示している。
【０００９】
レーザビームプリンタ本体１０１（以下、本体１０１）は、記録紙Ｓを収納するカセット１０２を有し、カセット１０２の記録紙Ｓの有無を検知するカセット有無センサ１０３、カセット１０２の記録紙Ｓのサイズを検知するカセットサイズセンサ１０４（複数個のマイクロスイッチで構成される）、カセット１０２から記録紙Ｓを繰り出す給紙ローラ１０５等が設けられている。そして、給紙ローラ１０５の下流には記録紙Ｓを同期搬送するレジストローラ対１０６が設けられている。また、レジストローラ対１０６の下流にはレーザスキャナ部１０７からのレーザ光に基づいて記録紙Ｓ上にトナー像を形成する画像形成部１０８が設けられている。さらに、画像形成部１０８の下流には記録紙Ｓ上に形成されたトナー像を熱定着する定着器１０９が設けられており、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１０】
また、前記レーザスキャナ１０７は、後述する外部装置１２８から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００１１】
そして、前記画像形成装置１０８は、公知の電子写真プロセスに必要な、感光ドラム１１７、１次帯電ローラ１１９、現像器１２０、転写帯電ローラ１２１、クリーナ１２２等から構成されている。また、メインモータ１２３は、給紙ローラ１０５には給紙ローラクラッチ１２４を介して、レジストローラ対１０６にはレジストローラ１２５を介して駆動力を与えており、更に感光ドラム１１７を含む画像形成部１０８の各ユニット、定着器１０９、排紙ローラ１１１にも駆動力を与えている。
【００１２】
そして１２６はエンジンコントローラであり、レーザスキャナ部１０７、画像形成部１０８、定着器１０９による電子写真プロセスの制御、前記本体１０１内の記録紙の搬送制御を行なっている。
【００１３】
そして、１２７はビデオコントローラであり、パーソナルコンピュータ等の外部装置１３１と汎用のインターフェース（セントロニクス、ＲＳ２３２Ｃ等）１３０で接続されており、この汎用インターフェースから送られてくる画像情報をビットデータに展開し、そのビットデータをＶＤＯ信号として、エンジンコントローラ１２６へ送出している。
【００１４】
１３０は赤外線センサ等の人体検知センサであり、このセンサで人体を検知すると電源をオンしたり、操作パネルの表示発光部を発光させたりする。
【００１５】
１３５は操作パネルで表示部は有機ＥＬを発光させることにより使用者に現在のプリンターの状態を知らせる。
【００１６】
図２に本発明における有機ＥＬ表示装置を構成する有機ＥＬマトリクス表示パネルを駆動する駆動回路を示す。
【００１７】
有機ＥＬは一対の電極間に強い蛍光を発する有機色素からなる有機発光層と電荷注入層とが形成された構造をしており、電子と正孔とが再結合することで発光する発光素子である。
【００１８】
図２は、有機ＥＬマトリクス表示パネルの駆動する駆動回路の１画素分の回路を示す図である。この図において駆動回路は選択トランジスタ１６０とデータトランジスタ１６１とにより構成され、選択トランジスタ１６０のゲート電極Ｇにはアドレス線が接続されるとともに、そのドレイン電極Ｄにはデータ線が接続されている。この選択トランジスタ１６０では、アドレス線から入力される選択信号によりゲートがＯＮされ、データ線から入力される画像データを送ることでＶｄを印可して発光素子１６２を発光させる。
【００１９】
なお、Ｖｄをパルス駆動させ、Ｄｕｔｙを変えることで発光素子の発光輝度を変えることができる。
【００２０】
図３は本実施例を示す制御回路図である。
【００２１】
図３において、ＣＰＵ１５０に赤外線センサ等の人体検知センサ１３０が接続されていて人体を検知する検知信号をＣＰＵ１５０に伝達する。また、ＣＰＵ１５０からアドレス及びデータ信号を出力し、これらの信号はデコーダ１３１を介し、アドレス信号を有機ＥＬ駆動回路のゲート電極Ｇへ、データ信号をドレイン電極Ｄへ伝達する。こうすることで有機ＥＬを発光させる。
【００２２】
なお、先ほど記述したようにデータ信号のＤｕｔｙを可変することで発光輝度を変えることができる。
【００２３】
また、ＣＰＵ１５０内にはＲＯＭ１５０ａ、タイマー１５０ｂ、コンパレータ１５０ｃが内蔵されている。ＲＯＭ１５０ａ内にはデータ信号のＤｕｔｙに関する情報（つまり発光輝度の調整情報）が保存されていて、人体検知センサ１３０による情報によりＤｕｔｙを可変する。例えば、人体検知前はＤｕｔｙ１０％（つまり電源ＯＦＦ）、検知後はＤｕｔｙ５０％といったように明るさを変える。
【００２４】
また、人体が未検知状態になってからの時間Ｔ１があらかじめ設定されていて、タイマー１５０ｂにより経過時間を測定し、経過時間ＴとＴ１とをコンパレータ１５０ｃによって比較する。
【００２５】
次に本実施例についてのフローチャート（図４）をもとに説明する。
【００２６】
まず、プリンタの電源をオンすると（ステップＳ１０）、ＲＯＭ１５０ａ内のデータＤ１（Ｄｕｔｙ５０％）で操作パネル表示部を発光させる（Ｓ１１）。そして人体検査センサ１３０により、人体を検知していると判断するとＳ１２のままで未検知状態になるとタイマー１５０ｂをスタートさせ（Ｓ１３）、タイマー値ＴがあらかじめＲＯＭ１５０ａ内で設定された値Ｔ０より大きいか判断し（Ｓ１４）、小さければＳ１４のままで大きければＲＯＭ１５０ａ内のデータＤ２（Ｄｕｔｙ２０％）で操作パネル表示部を発光させ（Ｓ１５）、Ｓ１２へ戻る。
【００２７】
このような制御を行うことで人体検知時のみ操作表示部の発光輝度を高め、寿命に問題があった有機ＥＬを使用することを可能にした。
【００２８】
（実施例２）
次に第２の実施例について説明する。
【００２９】
本実施例の構成は第１の実施例とほぼ同じであるが第１の実施例では人体を検知することによって発光輝度を可変していたが、第２の実施例では人体未検知状態には未発光にするといったものである。
【００３０】
次に本実施例についてフローチャートをもとに説明する。
【００３１】
図５にフローチャートを示す。
【００３２】
まず、プリンタの電源をオンにすると（ステップＳ２０）、ＲＯＭ１５０ａ内のデータＤ１（Ｄｕｔｙ５０％）で操作パネル表示部を発光させる（Ｓ２１）。そして人体検知センサ１３０により、人体を検知していると判断するとＳ２２のままで、未検知状態になるとタイマー１５０ｂをスタートさせ（Ｓ２３）、タイマー値ＴがあらかじめＲＯＭ１５０ａ内で設定された値Ｔ０より大きいか判断し（Ｓ２４）、小さければＳ２４のままで大きければ未発光させ（Ｓ２５）、Ｓ２２へ戻る。
【００３３】
このような制御を行うことで人体検知時のみ操作表示部の発光輝度を高め、寿命に問題があった有機ＥＬを使用することを可能にした。
【００３４】
【発明の効果】
以上説明したように、装置の状態を表示する表示機能を有する画像形成装置において、発光部に有機ＥＬ（Ｅｌｅｃｔｒｏ　Ｌｕｍｉｎｅｓｃｅｎｃｅ）を用い、有機ＥＬの発光輝度を変化させる発光輝度変化手段と、人体を検知する人体検知手段を設け、人体を検知したときに発光輝度を可変する。また、通常時は有機ＥＬは発光させずに人体検知した時のみ有機ＥＬを発光させる。
【００３５】
このような制御を行うことで、フルカラーが可能な有機ＥＬを用いて色の自由度を持たすことができ、かつ有機ＥＬの寿命が短いという問題を解決することを可能にする。
【図面の簡単な説明】
【図１】本発明における画像形成装置を示した図。
【図２】本発明第一の実施例における有機ＥＬの駆動回路を示した図。
【図３】本発明第一の実施例における制御回路を示した図。
【図４】本発明第一の実施例におけるフローチャート。
【図５】本発明第二の実施例のフローチャート。
【符号の説明】
１０１　画像形成装置
１３０　人体検知センサ
１５０　ＣＰＵ
１６０　選択トランジスタ
１６１　データトランジスタ
１６２　発光素子（有機ＥＬ）
【図１】
2004114332.tif 000003
【図２】
2004114332.tif 000004
【図３】
2004114332.tif 000005
【図４】
2004114332.tif 000006
【図５】
2004114332.tif 000007